(57)【要約】【課題】企業主導ではなくユーザ主導型のデザイン連鎖によってマスコラボレーション型の商品提案システムを実現する。【解決手段】第ｎ世代（ｎは整数）として、複数のデザインパーツからなる第ｎ世代提案商品画像（たとえばハンドバッグ）をネットワークを介して端末装置の表示装置に表示させて、ユーザからのデザインパーツの追加、変更を受け付けてこれを第ｎ＋１世代提案商品画像として表示させて、ユーザからの評価を受け付け、ユーザからの評価を評価ポイント値として管理するようにした。【選択図】図１
2010097576.tif 000002
【特許請求の範囲】
【請求項１】
サーバとネットワークを介して接続された端末装置に新商品を表示するマスコラボレーション型商品提案システムであって、
サーバの中央処理装置が、第ｎ世代（ｎは整数）として、複数のデザインパーツからなる第ｎ世代提案商品画像をネットワークを介して端末装置の表示装置に表示するステップと、
前記端末装置の入力装置を介してユーザからのデザインパーツの追加、変更を受け付けるステップと、
サーバの中央処理装置が、前記端末装置から受信した当該デザインパーツの追加、変更情報に基づいて、新たなデザインパーツによる第ｎ＋１世代提案商品画像を生成し、前記第ｎ世代提案商品画像と関連付けて前記端末装置の表示装置に表示させるステップと、
からなるネットワークシステムを用いたマスコラボレーション型商品提案システム。
【請求項２】
少なくとも前記ｎ世代提案商品画像と、前記ｎ＋１世代提案商品画像に対して前記端末装置の入力装置から購入希望情報または商品支持情報を受け付けるステップをさらに有しており、
前記購入希望情報数または商品支持情報数の多い提案商品画像を他の商品画像と異なる表示形態で表示する請求項１記載のネットワークを用いたマスコラボレーション型商品提案システム。
【請求項３】
前記サーバの中央処理装置は、前記提案商品の世代毎に提案者ＩＤと評価ポイントを関連付けて管理する評価データベースを有しており、
前記購入希望情報数または商品支持情報数に応じて前記評価ポイントを加算する請求項２記載のネットワークを用いたマスコラボレーション型商品提案システム。
【発明の詳細な説明】
【技術分野】
【０００１】  ユーザ参加型の商品企画開発の方法には、オーダーメイド法、ＬＤ法、ＵＤ法、マス・カスタマイズド法の４タイプがある（小川進，『競争的共創論−革新参加社会の到来−』，白桃書房，２００６年６月発行）。オーダーメイドとは、特注品であり、ユーザは一部の富裕層に限られる。ＬＤ法（Ｌｅａｄ−ｕｓｅｒ−Ｄｒｉｖｅｎ  Ｍｅｔｈｏｄ）とは、企業が新商品の企画開発にあたって、リードユーザを特定し、リードユーザへのヒアリング調査等を参考にするという方法である。「ユーザ間の協働」の可能性のあるものとして、以下の２つが挙げられる。【０００２】（ａ）ＵＤ法（Ｕｓｅｒ−Ｄｒｉｖｅｎ  Ｍｅｔｈｏｄ）による企画開発プラットフォーム
インターネット上の掲示板を用いて、ユーザの書き込みを集い、製品アイディアの創造や製品化の可否の決定をユーザ起点で行う方法。事例としては、「空想生活」（商標）「たのみこむ」（商標）「良品計画（商標）“みんなの声からモノづくり家具・家電”」「モーフィー企画」（商標）などがあり、やや進歩的な例に「Ｌｉｎｕｘ」（商標）がある。マイノリティが強い結束力を持って集いやすく、特定の少数派ニーズを満たす小規模生産に優れているが、市場としての広がりは見込まれないことが先行研究（小川進，『競争的共創論−革新参加社会の到来−』，白桃書房，２００６年６月発行）から明らかになっている。【０００３】（ｂ）マス・カスタマイズド法（Ｍａｓｓ−Ｃｕｓｔｏｍｉｚｅｄ  Ｍｅｔｈｏｄ）による企画開発プラットフォーム
ジョー・パインが提唱した、大量生産と、カスタマイズを掛け合わせた企画開発方法。予め用意された標準部品を、ユーザが無数の方法で組み合わせることで、最終製品のバラエティを生み出すことができる。これにより、多様なニーズに対応し、顧客満足度を高めることが出来る。事例としては、一般的なものに「ＮＩＫＥｉＤ」（商標）や「ＶＡＩＯ」（商標）のオーナーメイド、「ＤＥＬＬ」（商標）モデルなどがある。しかしながら、それらはデザインの自由度が低く、ユーザ間のインタラクションや創造性の発揮等の余地はないため、販売や製造プロセスに新規性が見られるものの、企画開発の方法にまで至っていないのが現状である。【０００４】  このように、多様なユーザ間のコラボレーションによる商品企画開発は、基礎技術的には可能であるものの、実際にそれを実現する仕組み（＝プラットフォーム）は、未だ確立されていないのが現状である。
【特許文献１】  特開２００７−１６４４２４号公報
【発明の開示】
【発明が解決しようとする課題】
【０００５】  本発明はこのような点に鑑みてなされたものであり、基礎技術をいくつか組み合わせ、適宜設計することによって、多様なユーザ間のコラボレーションによってヒット商品を続々と生み出す仕組み（＝プラットフォーム）を設計するものであり、さらにユーザとメーカー、双方のニーズをマッチングさせるものである。【０００６】  すなわち、ユーザは、買い物をする際に、気に入った商品を見つけても、細部のデザインが気に入らないために、購入を断念することがよくある。女子大生の７３％が、バッグを買う際に、細部のニーズとの不一致のため、購入を断念したことがあると答えている。「おしい」を「ほしい」に変えて購入できるというインセンティブを設計することで、ショッピングを妥協点を探るプロセスから、自分らしいモノを創る自己表現プロセスへと変える。【０００７】  メーカーは、消費者の多様性の増加や、競合製品の増加、製品ライフサイクルの短縮化等により、デザインプロセスがますます難化する状況下に置かれている。対応策として、ＱＲ（Ｑｕｉｃｋ  Ｒｅｓｐｏｎｓｅ）や、多品種少量生産、カスタマイズ等が挙げられるが、上述のように、商品企画の手法として圧倒的な競争優位性を持つものではない。【０００８】  更に、素材メーカーは、伝統的な技術を持っていても、情報発信力・デザイン力・提案力共に低いことが多く、国際的な価格競争に負け、経営難に陥っているところが多い。この点について、本願発明は、日本の伝統技術を持つ素材メーカーを、最終消費者と直接繋ぎ、企画開発・販売促進を支援することを通して、日本の伝統技術を救うことが出来る。
【課題を解決するための手段】
【０００９】  前記課題を解决するために、本発明では、以下の手段を採用した。
本発明の第一は、サーバとネットワークを介して接続された端末装置に新商品を表示するマスコラボレーション型商品提案システムであって、サーバの中央処理装置が、第ｎ世代（ｎは整数）として、複数のデザインパーツからなる第ｎ世代提案商品画像をネットワークを介して端末装置の表示装置に表示するステップと、前記端末装置の入力装置を介してユーザからのデザインパーツの追加、変更を受け付けるステップと、サーバの中央処理装置が、前記端末装置から受信した当該デザインパーツの追加、変更情報に基づいて、新たなデザインパーツによる第ｎ＋１世代提案商品画像を生成し、前記第ｎ世代提案商品画像と関連付けて前記端末装置の表示装置に表示させるステップと、からなるネットワークシステムを用いたマスコラボレーション型商品提案システムである。【００１０】  ここで、新商品とはたとえばバッグであり、当該バッグの色や素材等のデザイン、または持ち手等の部品（デザインパーツ）を別形状のものと変更可能な状態で第ｎ世代提案商品としてネットワークを介してユーザの端末装置（パーソナルコンピュータ）に表示させる。【００１１】  そして、ユーザは入力装置としてのキーボードやマウスを用いて、前記デザインパーツを別のパーツを交換して自分自身の提案商品の画像（第ｎ＋１世代提案商品）をサーバに送信する。【００１２】  サーバは、前記第ｎ＋１世代提案商品の画像をさらに他のユーザの端末装置に表示させてさらに他のユーザからｎ＋２世代提案商品の入力を受け付ける。【００１３】  このようなデザイン連鎖によってマスコラボレーション型の商品提案システムを実現することができる。【００１４】  さらに本発明の第二は、少なくとも前記ｎ世代提案商品画像と、前記ｎ＋１世代提案商品画像に対して前記端末装置の入力装置から購入希望情報または商品支持情報を受け付けるステップをさらに有しており、前記購入希望情報数または商品支持情報数の多い提案商品画像を他の商品画像と異なる表示形態で表示するネットワークを用いたマスコラボレーション型商品提案システムである。【００１５】  このように、世代毎の提案商品画像はそれぞれ連携して端末装置の表示装置に表示可能として、提案商品はどのような起源に基づいてデザイン連鎖が生じたかを示すとともに、その世代毎に購入申し込み情報または商品支持情報を受け付けるようにした。これにより、どの世代の提案商品がユーザ（消費者）の支持を得ているかが把握でき、創発型のマスコラボレーション型商品提案システムが実現できる。【００１６】  さらに本発明の第三は、前記サーバの中央処理装置は、前記提案商品の世代毎に提案者ＩＤと評価ポイントを関連付けて管理する評価データベースを有しており、前記購入希望情報数または商品支持情報数に応じて前記評価ポイントを加算するネットワークを用いたマスコラボレーション型商品提案システムである。【００１７】  このように世代毎にその商品の提案者が特定できるようにして、購入希望や支持が多かった提案者に対して評価ポイントを加算させて当該評価ポイントに応じたインセンティブを与えることができるようにした。
【発明の効果】
【００１８】  本発明によれば、ユーザ主導型のデザイン連鎖によってマスコラボレーション型の商品提案システムを実現することができる。
【発明を実施するための最良の形態】
【００１９】  次に、本発明の実施形態を説明する。
本実施形態のシステム構成は、サーバとネットワークを介して接続される端末装置とからなる。【００２０】  サーバは、汎用のネットワークサーバであり、中央処理装置およびメインメモリを中心にバスで接続されたハードディスク装置を有している。【００２１】  前記ハードディスク装置にはオペレーティングシステム（ＯＳ）の他にサーバプログラムが格納されており、当該サーバプログラムをバスおよびメインメモリを介して中央処理装置が読み込んで順次実行処理することによって、本発明の機能が実現される。【００２２】  またハードディスク装置には、商品毎のデザインパーツの画像情報がパーツＩＤに関連付けられて登録された商品データベースと、提案者ＩＤとその提案商品ＩＤと評価ポイント値とが関連付けられて登録された提案者データベースとを有している。【００２３】  ネットワークは汎用のＴＣＰ／ＩＰによるデータ通信網、所謂インターネットであり、当該ネットワークに接続される端末装置としては、汎用のパーソナルコンピュータ、ＰＤＡ（Ｐｅｒｓｏｎａｌ  Ｄａｔａ  Ａｓｓｉｓｔａｎｔ）、携帯電話端末、スマートフォン等いかなるものであってもよい。この端末装置には液晶ディスプレイ等の表示装置と、キーボード、タッチキー、マウス等の入力装置とが接続されている。【００２４】  当該システム構成において、サーバの中央処理装置は、第１世代として、複数のデザインパーツからなる第１世代提案商品（ハンドバッグ）の画像を生成して、ネットワークを介して端末装置の表示装置に表示する。【００２５】  このときユーザは、端末装置の入力装置を介してデザインパーツの追加、変更の入力が可能となっている。具体的にはハンドバッグの表面デザインの変更、持ち手のデザインの変更、アクセサリの追加等が可能となっている。【００２６】  サーバの中央処理装置は、前記端末装置から受信した当該デザインパーツの追加、変更情報に基づいて、新たなデザインパーツによる第２世代提案商品画像を生成する。そして、第２世代提案画像は、第１世代提案画像の派生商品として表示装置上で線で結ばれて表示される。このとき、第２世代提案画像は必ずしも１つである必要はなく、同一提案者または異なる提案者によって生成された複数の画像であってもよい。【００２７】  他のユーザは、表示装置に表示された第１世代提案画像または第２世代提案画像からさらにデザインパーツの追加、変更を行って第３世代提案画像をサーバに送信・表示させるようにしてもよい。【００２８】  このように、本実施形態では、ユーザによるデザイン連鎖を一覧することができ、他のユーザはどの時点（世代）からでもさらにデザインパーツの変更・追加によるカスタマイズを始めることができる。すなわち、集合知に対してオリジナリティを追加することができる。【００２９】  これらの世代毎の提案画像に対しては、購入希望ボタンまたは評価ボタンを表示させて他のユーザからの購入希望情報または評価情報を受け付けるようにしてもよい。サーバには前述のように提案者データベースが設けられており、これらの購入希望情報または評価情報に基づいて評価ポイント値が加算されるようになっている。この評価ポイント値が増加することによって、その商品の提案者には所定のインセンティブを与えるようにしてもよい。【００３０】  なお、前述の商品データベースには、デザイン番号（デザインＩＤ）、デザイナー名（ユーザＩＤ）、メッセージ（デザイナー、購入者、閲覧者）が関連付けられるようにしておき、その一部を表示画像とともに表示できるようにしてもよい。【００３１】  また、提案者データベースにおける評価ポイント値の加算例としては、購入希望や支持情報の他に、他のユーザが当該商品について詳細表示をさせたり（１ポイント）、さらにカスタマイズして次の世代の商品を提案したり（２ポイント）、「おしい」等の投票情報を入力したり（１ポイント）してもよい。また購入の場合には当該提案商品に対して３ポイントを評価ポイント値として加算する等、他のユーザの端末装置での入力動作によってポイント値を変更させてもよい。【００３２】  表示装置に表示される提案商品の大きさは前記評価ポイント値によって変化させてもよい。たとえば、評価ポイント値の高い商品は評価ポイント値の低い商品よりも画面上で大きく表示させることで、ユーザは直感的に支持を集めている提案商品を把握することが可能となる。【００３３】  このようなシステムにより、人気がある商品デザインは大きくなり、不人気のものは消えていく「進化」のメカニズムを導入し、ユーザ間で情報を共有することができる。
【産業上の利用可能性】
【００３４】  本発明は、商品提案型のネットワークシステムに利用できる。
【図面の簡単な説明】
【００３５】
【図１】  本発明の実施形態において、表示装置に表示される画面例を示した図（１）
【図２】  本発明の実施形態において、表示装置に表示される画面例を示した図（２）
【図３】  本発明の実施形態において、表示装置に表示される画面例を示した図（３）
【図４】  本発明の実施形態において、表示装置に表示される画面例を示した図（４）
【図５】  本発明の実施形態において、表示装置に表示される画面例を示した図（５）
【図１】
2010097576.tif 000003
【図２】
2010097576.tif 000004
【図３】
2010097576.tif 000005
【図４】
2010097576.tif 000006
【図５】
2010097576.tif 000007